(57)【要約】【課題】  本発明は、少しでも立っていられる者が、座ってでも、立ってでも着ることができる、座立両用とした下衣着物を提供することを課題とする。【解決手段】  着物地の左後見頃２及び右後見頃３が逢着されず、相互にファスナー又はボタンにより連結された下衣着物である。下衣着物は、左前見頃１及び左後見頃２の裏地のウエスト部にはマジックベルト５を備えるとともに、右前見頃４及び右後見頃３の表地のウエスト部には面ファスナー６を貼り付けて、座立両用としたものである。下衣着物の着付けは、立位の使用では巻スカートのようにして着用し、座位の使用では左前見頃１及び左後見頃２と、右前見頃４及び右後見頃３とに分離して、２枚を重ね合わせて着用することを特徴とする。【選択図】    図１
2019183306.tif 000002
【特許請求の範囲】
【請求項１】
着物地の左後見頃及び右後見頃が逢着されず、相互にファスナー又はボタンにより連結された下衣着物であって、左前見頃及び左後見頃の裏地のウエスト部にはマジックベルトを備えるとともに、右前見頃及び右後見頃の表地のウエスト部には面ファスナーを貼り付けたことを特徴とする下衣着物。
【請求項２】
上記下衣着物は、立位の使用では巻スカートのようにして着用し、座位の使用では左前見頃及び左後見頃と、右前見頃及び右後見頃とに分離して、２枚を重ね合わせて着用することを特徴とする、請求項１に記載の下衣着物の着付け方法。
【請求項３】
裏地のウエスト部にマジックベルトを備えた左前見頃及び左後見頃と、表地のウエスト部に面ファスナーを貼り付けた右前見頃及び右後見頃からなり、左後見頃及び右後見頃が逢着されず、相互にファスナーにより連結された下衣着物を用意するステップと、ファスナーを下げて該下衣着物の左前見頃及び左後見頃と右前見頃及び右後見頃とに分離するステップと、左前見頃及び左後見頃と右前見頃及び右後見頃とを前側で重ね合わせるステップと、座位のまま膝にかけウエストを該マジックベルトと該面ファスナーとで固定するステップと、下からファスナーを上げて裾を固定するステップと、を含む下衣着物の着付け方法。
【請求項４】
裏地のウエスト部にマジックベルトを備えた左前見頃及び左後見頃と、表地のウエスト部に面ファスナーを貼り付けた右前見頃及び右後見頃からなり、左後見頃及び右後見頃が逢着されず、相互にボタンにより連結された下衣着物を用意するステップと、ボタンを外して該下衣着物の左前見頃及び左後見頃と右前見頃及び右後見頃とに分離するステップと、左前見頃及び左後見頃と右前見頃及び右後見頃とを前側で重ね合わせるステップと、座位のまま膝にかけウエストを該マジックベルトと該面ファスナーとで固定するステップと、ボタンを掛けて裾を固定するステップと、を含む下衣着物の着付け方法。
【発明の詳細な説明】
【技術分野】
【０００１】
本発明は、下衣着物及びその着付け方法に関する。
【背景技術】
【０００２】
上衣と巻スカート状の下衣とに分かれた、二部式着物が知られている。
また、本発明者は、左上身頃と右上身頃の正面側が縫着された上身頃と、上身頃の胴部の表面に位置する帯部と、左上身頃と該右上身頃の各肩部にそれぞれ連結された袖部と、左下身頃と右下身頃からなる下身頃とを備え、上身頃及び下身頃の背面側を開いて着付ける簡易着付け式着物を提案している。（特許文献１参照）
【０００３】
従来の二部式着物の下衣着物は、巻スカート状であるため、立ったまま着用する必要があり、座ったまま着用することができない。このため、立つことができない者は、下衣着物を着用することができないという問題があった。
他方、特許文献１で提案した簡易着付け式着物は、座ったまま着用することが前提となっているため、立ったまま着用することができないという問題があった。
【先行技術文献】
【特許文献】
【０００４】
【特許文献１】特開２０１６−８４５６８号公報
【発明の概要】
【発明が解決しようとする課題】
【０００５】
本発明は、従来の背景技術に鑑み、少しでも立っていられる者が、座ってでも、立ってでも着ることができる、座立両用とした下衣着物を提供することを課題とする。
【課題を解決するための手段】
【０００６】
本発明の課題を解決するための手段は、次のとおりである。
（１）着物地の左後見頃及び右後見頃が逢着されず、相互にファスナー又はボタンにより連結された下衣着物であって、左前見頃及び左後見頃の裏地のウエスト部にはマジックベルトを備えるとともに、右前見頃及び右後見頃の表地のウエスト部には面ファスナーを貼り付けたことを特徴とする下衣着物。
（２）上記下衣着物は、立位の使用では巻スカートのようにして着用し、座位の使用では左前見頃及び左後見頃と、右前見頃及び右後見頃とに分離して、２枚を重ね合わせて着用することを特徴とする、上記（１）に記載の下衣着物の着付け方法。
（３）裏地のウエスト部にマジックベルトを備えた左前見頃及び左後見頃と、表地のウエスト部に面ファスナーを貼り付けた右前見頃及び右後見頃からなり、左後見頃及び右後見頃が逢着されず、相互にファスナーにより連結された下衣着物を用意するステップと、ファスナーを下げて下衣着物の左前見頃及び左後見頃と右前見頃及び右後見頃とに分離するステップと、左前見頃及び左後見頃と右前見頃及び右後見頃とを前側で重ね合わせるステップと、座位のまま膝にかけウエストをマジックベルトと面ファスナーとで固定するステップと、下からファスナーを上げて裾を固定するステップと、を含む下衣着物の着付け方法。
（４）裏地のウエスト部にマジックベルトを備えた左前見頃及び左後見頃と、表地のウエスト部に面ファスナーを貼り付けた右前見頃及び右後見頃からなり、左後見頃及び右後見頃が逢着されず、相互にボタンにより連結された下衣着物を用意するステップと、ボタンを外して下衣着物の左前見頃及び左後見頃と右前見頃及び右後見頃とに分離するステップと、左前見頃及び左後見頃と右前見頃及び右後見頃とを前側で重ね合わせるステップと、座位のまま膝にかけウエストをマジックベルトと面ファスナーとで固定するステップと、ボタンを掛けて裾を固定するステップと、を含む下衣着物の着付け方法。
【発明の効果】
【０００７】
本発明によれば、次のような効果が得られる。
（１）一枚の下衣着物で機能が二つあるため、座位でも立位でも着ることができる。このため、これまでよりも多くの者が、下衣着物を着用することができるようになる。
（２）足が不自由かどうかに関係なく、着物を誰でも簡単に着ることができる。
【図面の簡単な説明】
【０００８】
【図１】本発明に係る下衣着物の説明図である。
【図２】本発明に係る下衣着物の立位での着付け方法の説明図である。
【図３】本発明に係る下衣着物の座位での着付け方法の説明図である。
【発明を実施するための形態】
【０００９】
（下衣着物）
本発明に係る下衣着物の一例を図１に示す。図１において、（ａ）図は、下衣着物の表面を図示したものであり、（ｂ）図は、下衣着物の裏面を図示したものである。
（ａ）図における六角形の模様は、下衣着物の表面をその裏面と区別するために便宜的に描いたものである。図２及び図３においても同様である。
【００１０】
図１に示す下衣着物は、着物地の左後見頃２及び右後見頃３が逢着されず、相互に左側ファスナー１４及び右側ファスナー１５により連結されている。
なお、着物地の左後見頃２及び右後見頃３の連結は、ファスナーに代えてボタンにより連結することもできる。
【００１１】
本発明に係る下衣着物では、（ｂ）図にあるように、左前見頃１及び左後見頃２の裏地のウエスト部にはマジックベルト５を備えている。マジックベルト５は、右前見頃３の裏地方向にもフリーで延在している。そして、マジックベルト５は、右前見頃３の裏地のウエスト部に設けたマジックベルト固定用ベルト通し１３により固定することができる。
【００１２】
右前見頃３及び右後見頃４の表地のウエスト部には、（ａ）図にあるように、面ファスナー６を貼り付けており、マジックベルト５に固定できるようにしている。
図１において、７はギャザー、８はタック、９ないし１２はウエスト長さ調節用のスナップボタンである。
また、図１において、１２は面ファスナーであり、折り畳まれている。さらに、１６ないし１９は、着付け時に左後見頃２と右後見頃３との間を必要に応じて連結する面ファスナーである。
【００１３】
（立位での着付け方法）
本発明に係る下衣着物の立位での着付け方法を、図２を用いて説明する。
（ａ）図に示すように、下衣着物を腰に巻き付けるように着付ける。（ｂ）図は、下衣着物を着用した正面図であり、（ｃ）図は、下衣着物を着用した背面図である。
【００１４】
（座位での着付け方法）
本発明に係る下衣着物の座位での着付け方法を、図３を用いて説明する。
（１）下衣着物を連結している左側及び右側のファスナー１４、１５を開き、２枚に分離する。
（２）２枚に分離した下衣着物を、中央のファスナー部分を両端にして、左前になるようにウエスト部の面ファスナー部分で重ねる。ウエスト部で重ねる際の位置が分からない場合は、巻きスカートの筒の状態からファスナーを開けてひざ掛けの形にするとよい。
図３において、（ａ）図は、着付け前の正面図であり、（ｂ）図は、着付け前の背面図である。
【００１５】
（３）左前合わせに重ね合わせた下衣着物を、お尻を包み込むようにして膝にかけ、ウエスト部のマジックベルト５を背中に回し、反対側の下衣着物のウエスト部の面ファスナー６に固定させる。
（４）下衣着物の横の両端は太腿の下に入れ込み全体を整える。胴幅のサイズは人それぞれであるが、左右の着物の合わせで対応できる。
（５）下衣着物の裾を、ファスナーを上げて固定する。
図３において、（ｃ）図は、座位で下衣着物を着用した正面図であり、（ｄ）図は、座位で着用した下衣着物の背面図である。
【００１６】
上記の着付け方法において、胴回りが大きい等の理由で左右の着物の合わせで対応できないような場合には、図１に示す折り畳んだ面ファスナー１２を広げてマジックベルト５と背中で固定するとともに、左後見頃２と右後見頃３とを、図１に示す面ファスナー１６、１７及び面ファスナー１８、１９を用いてそれぞれ連結させて下衣着物の裾を固定することができる。
図３における（ｅ）図は、この場合に座位で下衣着物を着用した正面図であり、また（ｆ）図は、その背面図である。
【００１７】
以上、本明細書に開示した実施例は、本発明に係る、下衣着物及びその着付け方法の理解を容易にするために例示したものであって、本発明はこれに限定されるものではない。
すなわち、本発明は、特許請求の範囲を逸脱しない限り、下衣着物及びその着付け方法を実施するに当たって、適宜の設計変更が可能であることは言うまでもないことである。
【符号の説明】
【００１８】
１  左前見頃
２  左後見頃
３  右後見頃
４  右前見頃
５  マジックベルト
６  面ファスナー
７  ギャザー
８  タック
９  スナップボタン
１０  スナップボタン
１１  スナップボタン
１２  面ファスナー
１３  マジックベルト固定用ベルト通し
１４  左側ファスナー
１５  右側ファスナー
１６  面ファスナー
１７  面ファスナー
１８  面ファスナー
１９  面ファスナー
【図１】
2019183306.tif 000003
【図２】
2019183306.tif 000004
【図３】
2019183306.tif 000005
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
着物地の左後見頃及び右後見頃が逢着されず、相互にファスナー又はボタンにより連結された下衣着物であって、左前見頃及び左後見頃の裏地のウエスト部にはマジックベルトを備えるとともに、右前見頃及び右後見頃の表地のウエスト部には面ファスナーを貼り付けたことを特徴とする座立両用とした下衣着物。
【請求項２】
上記下衣着物は、立位の使用では巻スカートのようにして着用し、座位の使用では左前見頃及び左後見頃と、右前見頃及び右後見頃とに分離して、２枚を重ね合わせて着用することを特徴とする、請求項１に記載の座立両用とした下衣着物の着付け方法。
【請求項３】
裏地のウエスト部にマジックベルトを備えた左前見頃及び左後見頃と、表地のウエスト部に面ファスナーを貼り付けた右前見頃及び右後見頃からなり、左後見頃及び右後見頃が逢着されず、相互にファスナーにより連結された下衣着物を用意するステップと、ファスナーを下げて該下衣着物の左前見頃及び左後見頃と右前見頃及び右後見頃とに分離するステップと、左前見頃及び左後見頃と右前見頃及び右後見頃とを前側で重ね合わせるステップと、座位のまま膝にかけウエストを該マジックベルトと該面ファスナーとで固定するステップと、下からファスナーを上げて裾を固定するステップと、を含む請求項１に記載の座立両用とした下衣着物の着付け方法。
【請求項４】
裏地のウエスト部にマジックベルトを備えた左前見頃及び左後見頃と、表地のウエスト部に面ファスナーを貼り付けた右前見頃及び右後見頃からなり、左後見頃及び右後見頃が逢着されず、相互にボタンにより連結された下衣着物を用意するステップと、ボタンを外して該下衣着物の左前見頃及び左後見頃と右前見頃及び右後見頃とに分離するステップと、左前見頃及び左後見頃と右前見頃及び右後見頃とを前側で重ね合わせるステップと、座位のまま膝にかけウエストを該マジックベルトと該面ファスナーとで固定するステップと、ボタンを掛けて裾を固定するステップと、を含む請求項１に記載の座立両用とした下衣着物の着付け方法。
【手続補正２】
【補正対象書類名】明細書
【補正対象項目名】０００６
【補正方法】変更
【補正の内容】
【０００６】
本発明の課題を解決するための手段は、次のとおりである。
（１）着物地の左後見頃及び右後見頃が逢着されず、相互にファスナー又はボタンにより連結された下衣着物であって、左前見頃及び左後見頃の裏地のウエスト部にはマジックベルトを備えるとともに、右前見頃及び右後見頃の表地のウエスト部には面ファスナーを貼り付けたことを特徴とする座立両用とした下衣着物。
（２）上記下衣着物は、立位の使用では巻スカートのようにして着用し、座位の使用では左前見頃及び左後見頃と、右前見頃及び右後見頃とに分離して、２枚を重ね合わせて着用することを特徴とする、上記（１）に記載の座立両用とした下衣着物の着付け方法。
（３）裏地のウエスト部にマジックベルトを備えた左前見頃及び左後見頃と、表地のウエスト部に面ファスナーを貼り付けた右前見頃及び右後見頃からなり、左後見頃及び右後見頃が逢着されず、相互にファスナーにより連結された下衣着物を用意するステップと、ファスナーを下げて下衣着物の左前見頃及び左後見頃と右前見頃及び右後見頃とに分離するステップと、左前見頃及び左後見頃と右前見頃及び右後見頃とを前側で重ね合わせるステップと、座位のまま膝にかけウエストをマジックベルトと面ファスナーとで固定するステップと、下からファスナーを上げて裾を固定するステップと、を含む上記（１）に記載の座立両用とした下衣着物の着付け方法。
（４）裏地のウエスト部にマジックベルトを備えた左前見頃及び左後見頃と、表地のウエスト部に面ファスナーを貼り付けた右前見頃及び右後見頃からなり、左後見頃及び右後見頃が逢着されず、相互にボタンにより連結された下衣着物を用意するステップと、ボタンを外して下衣着物の左前見頃及び左後見頃と右前見頃及び右後見頃とに分離するステップと、左前見頃及び左後見頃と右前見頃及び右後見頃とを前側で重ね合わせるステップと、座位のまま膝にかけウエストをマジックベルトと面ファスナーとで固定するステップと、ボタンを掛けて裾を固定するステップと、を含む上記（１）に記載の座立両用とした下衣着物の着付け方法。
【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
着物地の左後見頃及び右後見頃が縫着されず、相互にファスナー又はボタンにより全長にわたって連結された下衣着物であって、左前見頃及び左後見頃の裏地のウエスト部にはマジックベルトを備えるとともに、右前見頃及び右後見頃の表地のウエスト部には面ファスナーを貼り付けたことを特徴とする座立両用とした下衣着物。
【請求項２】
上記下衣着物は、立位の使用では巻スカートのようにして着用し、座位の使用では左前見頃及び左後見頃と、右前見頃及び右後見頃とに分離して、２枚を重ね合わせて着用することを特徴とする、請求項１に記載の座立両用とした下衣着物の着付け方法。
【請求項３】
裏地のウエスト部にマジックベルトを備えた左前見頃及び左後見頃と、表地のウエスト部に面ファスナーを貼り付けた右前見頃及び右後見頃からなり、左後見頃及び右後見頃が縫着されず、相互にファスナーにより連結された下衣着物を用意するステップと、ファスナーを下げて該下衣着物の左前見頃及び左後見頃と右前見頃及び右後見頃とに分離するステップと、左前見頃及び左後見頃と右前見頃及び右後見頃とを前側で重ね合わせるステップと、座位のまま膝にかけウエストを該マジックベルトと該面ファスナーとで固定するステップと、下からファスナーを上げて裾を固定するステップと、を含む請求項１に記載の座立両用とした下衣着物の着付け方法。
【請求項４】
裏地のウエスト部にマジックベルトを備えた左前見頃及び左後見頃と、表地のウエスト部に面ファスナーを貼り付けた右前見頃及び右後見頃からなり、左後見頃及び右後見頃が縫着されず、相互にボタンにより連結された下衣着物を用意するステップと、ボタンを外して該下衣着物の左前見頃及び左後見頃と右前見頃及び右後見頃とに分離するステップと、左前見頃及び左後見頃と右前見頃及び右後見頃とを前側で重ね合わせるステップと、座位のまま膝にかけウエストを該マジックベルトと該面ファスナーとで固定するステップと、ボタンを掛けて裾を固定するステップと、を含む請求項１に記載の座立両用とした下衣着物の着付け方法。
【手続補正２】
【補正対象書類名】明細書
【補正対象項目名】０００６
【補正方法】変更
【補正の内容】
【０００６】
本発明の課題を解決するための手段は、次のとおりである。
（１）着物地の左後見頃及び右後見頃が縫着されず、相互にファスナー又はボタンにより全長にわたって連結された下衣着物であって、左前見頃及び左後見頃の裏地のウエスト部にはマジックベルトを備えるとともに、右前見頃及び右後見頃の表地のウエスト部には面ファスナーを貼り付けたことを特徴とする座立両用とした下衣着物。
（２）上記下衣着物は、立位の使用では巻スカートのようにして着用し、座位の使用では左前見頃及び左後見頃と、右前見頃及び右後見頃とに分離して、２枚を重ね合わせて着用することを特徴とする、上記（１）に記載の座立両用とした下衣着物の着付け方法。
（３）裏地のウエスト部にマジックベルトを備えた左前見頃及び左後見頃と、表地のウエスト部に面ファスナーを貼り付けた右前見頃及び右後見頃からなり、左後見頃及び右後見頃が縫着されず、相互にファスナーにより連結された下衣着物を用意するステップと、ファスナーを下げて下衣着物の左前見頃及び左後見頃と右前見頃及び右後見頃とに分離するステップと、左前見頃及び左後見頃と右前見頃及び右後見頃とを前側で重ね合わせるステップと、座位のまま膝にかけウエストをマジックベルトと面ファスナーとで固定するステップと、下からファスナーを上げて裾を固定するステップと、を含む上記（１）に記載の座立両用とした下衣着物の着付け方法。
（４）裏地のウエスト部にマジックベルトを備えた左前見頃及び左後見頃と、表地のウエスト部に面ファスナーを貼り付けた右前見頃及び右後見頃からなり、左後見頃及び右後見頃が縫着されず、相互にボタンにより連結された下衣着物を用意するステップと、ボタンを外して下衣着物の左前見頃及び左後見頃と右前見頃及び右後見頃とに分離するステップと、左前見頃及び左後見頃と右前見頃及び右後見頃とを前側で重ね合わせるステップと、座位のまま膝にかけウエストをマジックベルトと面ファスナーとで固定するステップと、ボタンを掛けて裾を固定するステップと、を含む上記（１）に記載の座立両用とした下衣着物の着付け方法。
【手続補正３】
【補正対象書類名】明細書
【補正対象項目名】００１０
【補正方法】変更
【補正の内容】
【００１０】
図１に示す下衣着物は、着物地の左後見頃２及び右後見頃３が縫着されず、相互に左側ファスナー１４及び右側ファスナー１５により全長にわたって連結されている。
なお、着物地の左後見頃２及び右後見頃３の連結は、ファスナーに代えてボタンにより連結することもできる。